(57)【要約】【課題】取り扱いが簡単で誰もが手や衣服を汚すことなくペットの糞を確実に除去することができ、しかも、携帯性に優れたペット用の糞採取用具を提供する。【解決手段】本発明に係るペット用の糞採取用具１は、ペットが排泄した糞Ｆを収容する糞収納容器２と、糞収納容器２の開口部３を閉じる蓋体４とから構成され、蓋体４は、糞Ｆの拾い部５を備え、蓋体４により糞収納容器２の開口部３を閉じたときに、糞Ｆの拾い部５の下方部分が、糞収納容器２内に配置される。また、蓋体４により糞収納容器２の開口部３を閉じたときに、糞Ｆの拾い部５の下方部分と、糞収納容器２の内側面との間に、所定の空間を備えている。さらに、糞Ｆの拾い部５の下方部分は、一対の掴み片１０Ａ，１０Ｂを備えて開閉可能に形成されている。【選択図】図１
2005253350.tif 000002
【特許請求の範囲】
【請求項１】
ペットが排泄した糞を収容する糞収納容器と、糞収納容器の開口部を閉じる蓋体とから構成され、蓋体は、糞の拾い部を備え、蓋体により糞収納容器の開口部を閉じたときに、糞の拾い部の下方部分が、糞収納容器内に配置されることを特徴とするペット用の糞採取用具。
【請求項２】
蓋体により糞収納容器の開口部を閉じたときに、糞の拾い部の下方部分と、糞収納容器の内側面との間に、所定の空間を備えている請求項１に記載のペット用の糞採取用具。
【請求項３】
糞の拾い部の下方部分は、一対の掴み片を備えて開閉可能に形成されている請求項１または２に記載のペット用の糞採取用具。
【請求項４】
糞の拾い部は、一対の掴み片を開く方向へ付勢させる弾発体を備えている請求項３に記載のペット用の糞採取用具。
【請求項５】
糞の拾い部は、下方部分に掴み片を有し、上方部分に持ち手を有する一対のアームから成り、この一対のアームは、枢着部を介して回動可能に取り付けられている請求項１乃至４のいずれかに記載のペット用の糞採取用具。
【請求項６】
糞の拾い部は、蓋体に設置した支承枠部に挿通した状態で支持されている請求項１乃至５のいずれかに記載のペット用の糞採取用具。
【請求項７】
支承枠部は、一対のアームを挿通した状態で支持する挿通孔を備えている請求項６に記載のペット用の糞採取用具。
【請求項８】
糞の拾い部は、一対のアームを、所定の角度に開いた状態で係止させるストッパー部を備えている請求項５に記載のペット用の糞採取用具。
【請求項９】
一対のアームのそれぞれに穿設した環状凹部の孔部（または、軸部）と、蓋体の支承枠部に設けた軸部（または、支承枠部に穿設した孔部）が係合し、一対のアームが回動可能に蓋体に取り付けられている請求項６または７に記載のペット用の糞採取用具。
【請求項１０】
一対の掴み片は、互いに内側に向けて湾曲した櫛歯が、斜行状に配置されている請求項３乃至５のいずれかに記載のペット用の糞採取用具。
【発明の詳細な説明】
【技術分野】
【０００１】
本発明は、犬や猫等のペットが屋外における路上等に排泄した糞を除去するために使用される、携帯可能なペット用の糞採取用具に関するものである。
【背景技術】
【０００２】
犬等のペットを飼うときは、ペットの適度な運動となる所謂散歩が不可欠のものとなる。この屋外における散歩の際に、犬等のペットは糞を排泄することが多いため、飼主は犬等が排泄した糞を持ち帰って廃棄する必要があった。そのため、飼主は散歩に際して、例えば、ポリ袋と小型のスコップを持参し、犬等が排泄した糞をスコップですくい取ってポリ袋に入れ、ペットの糞を持ち帰っていた。
【０００３】
また、飼主は、ポリ袋だけを持参して散歩に行くこともあった。そして、犬等が糞を排泄すると、飼主はポリ袋の底部を一方の手（例えば、左手）で軽くつかみ、ポリ袋の開口部近傍を他方の手（例えば、右手）で外側に折り返して一方の手（左手）をポリ袋で覆った状態とし、そのままポリ袋を介して一方の手（左手）で糞をつまみ上げることもあった。
【０００４】
この他、飼主は、散歩の際に所定の糞回収器を持参することもあった。この糞回収器としては、例えば、両側に開放端を有する枠体の上部両端に１対の枢着部を構成する突出片を設けた中央胴部、上記中央胴部の枢着部に枢着され、該中央胴部の一方の開放端に対して開閉自在に取り付けられた糞掻取り蓋部、上記中央胴部の他方の開放端部に着脱自在に取り付けられた糞収納部、および、上記糞収納部の内部にあって糞収納袋を上記中央胴部の糞収納部側の開放端に対して着脱自在に取り付けられる収納袋固定枠を備えた構成のものがある。
【特許文献１】実用新案登録第３０７８１２４号公報
【発明の開示】
【発明が解決しようとする課題】
【０００５】
しかしながら、上述したようなペットを連れた散歩においては、以下のような弊害が生じていた。
【０００６】
すなわち、犬等が排泄した糞等を小型のスコップですくい取る際、或るいは、スコップですくい取った糞をポリ袋に入れるときに、衣服や手に糞が付着し易かった。また、ペットの散歩に際して小型のスコップとポリ袋を持参すること自体、非常に面倒であった。加えて、散歩を終えて帰宅したときには、汚れているスコップをきれいに洗浄しなければならず、これも非常に面倒な作業であった。
【０００７】
さらに、散歩に際してポリ袋だけを所持し、ポリ袋を介して手で糞をつまみ上げるのも、非常に気持ちの悪いものである。
【０００８】
この他、飼主は、散歩の際に所定の糞回収器を使用することもあったが、この糞回収器は、糞掻取り蓋部が、糞を掻き取る構成と蓋としての構成を兼ねているため、糞掻取り蓋部を用いて糞を掻き取る際に蓋部に糞が付着してしまい、この様に糞が付着したままの状態でこれを蓋として使用すると、散歩中に衣服等に糞が付着し、衣服等が汚れてしまうことがあった。
【０００９】
そこで、本発明は、叙上のような従来存した問題点に鑑み創出されたもので、取り扱いが簡単で誰もが手や衣服を汚すことなくペットの糞を確実に除去することができ、しかも、携帯性に優れたペット用の糞採取用具を提供することを目的としたものである。
【課題を解決するための手段】
【００１０】
本発明に係るペット用の糞採取用具は、ペットが排泄した糞を収容する糞収納容器と、糞収納容器の開口部を閉じる蓋体とから構成され、蓋体は、糞の拾い部を備え、蓋体により糞収納容器の開口部を閉じたときに、糞の拾い部の下方部分が、糞収納容器内に配置されることで、上述した課題を解決した。
【００１１】
また、蓋体により糞収納容器の開口部を閉じたときに、糞の拾い部の下方部分と、糞収納容器の内側面との間に、所定の空間を備えていることで、同じく上述した課題を解決した。
【００１２】
さらに、糞の拾い部の下方部分は、一対の掴み片を備えて開閉可能に形成されていることで、同じく上述した課題を解決した。
【００１３】
また、糞の拾い部は、一対の掴み片を開く方向へ付勢させる弾発体を備えていることで、同じく上述した課題を解決した。
【００１４】
加えて、糞の拾い部は、下方部分に掴み片を有し、上方部分に持ち手を有する一対のアームから成り、この一対のアームは、枢着部を介して回動可能に取り付けられていることで、同じく上述した課題を解決した。
【００１５】
また、糞の拾い部は、蓋体に設置した支承枠部に挿通した状態で支持されていることで、同じく上述した課題を解決した。
【００１６】
この他、支承枠部は、一対のアームを挿通した状態で支持する挿通孔を備えていることで、同じく上述した課題を解決した。
【００１７】
また、糞の拾い部は、一対のアームを、所定の角度に開いた状態で係止させるストッパー部を備えていることで、同じく上述した課題を解決した。
【００１８】
さらに、一対のアームのそれぞれに穿設した環状凹部の孔部（または、軸部）と、蓋体の支承枠部に設けた軸部（または、支承枠部に穿設した孔部）が係合し、一対のアームが回動可能に蓋体に取り付けられていることで、同じく上述した課題を解決した。
【００１９】
また、一対の掴み片は、互いに内側に向けて湾曲した櫛歯が、斜行状に配置されていることで、同じく上述した課題を解決した。
【発明の効果】
【００２０】
本発明に係るペット用の糞採取用具１は、ペットが排泄した糞Ｆを収容する糞収納容器２と、糞収納容器２の開口部３を閉じる蓋体４とから構成され、蓋体４は、糞Ｆの拾い部５を備えているため、この拾い部５を用いて手を汚すことなく、ペットが排泄した糞Ｆを簡単に拾い上げることができる。また、蓋体４により糞収納容器２の開口部３を閉じたときに、糞Ｆの拾い部５の下方部分が、糞収納容器２内に配置されるため、蓋体４により糞収納容器２の開口部３を閉じる動作と、糞Ｆを拾い上げている状態の拾い部５を糞収納容器２の中に入れる動作を一括して行なうことができ、拾い上げた糞Ｆを即座に糞収納容器２内に収容できる。
【００２１】
そして、蓋体４により糞収納容器２の開口部３を閉じたときに、糞Ｆの拾い部５の下方部分と、糞収納容器２の内側面との間に、所定の空間を備えているため、所定量の糞Ｆを糞収納容器２内に充分に収容できる。また、収容している糞Ｆに拾い部５が接して、拾い部５が汚れることもない。さらに、収容している糞Ｆに拾い部５が接して、糞Ｆの全体が拾い部５にくっついてしまうことが少なくなる。そのため、蓋体４を持ち上げたときに、糞Ｆが拾い部５と一緒に移動することも少なくなり、収容している糞Ｆが糞収納容器２の外に出にくいものとなる。
【００２２】
この様に、糞Ｆの拾い部５と糞収納容器２の内側面との間に所定の空間を備えているため、小型犬や中型犬等が散歩中に２回から３回の糞Ｆを排泄したときであっても、この糞Ｆを糞収納容器２内に充分に収容できる。
【００２３】
また、糞Ｆの拾い部５の下方部分は、一対の掴み片１０Ａ，１０Ｂを備えて開閉可能に形成されているため、この掴み片１０Ａ，１０Ｂを用いてペットが排泄した糞Ｆを簡単に拾い上げることができる。
【００２４】
さらに、糞Ｆの拾い部５は、一対の掴み片１０Ａ，１０Ｂを開く方向へ付勢させる弾発体１６を備えているので、例えば、アーム１２Ａ，１２Ｂの持ち手１１Ａ，１１Ｂを手でつかみ、弾発体１６の拡圧弾性力に抗するようにして持ち手１１Ａ，１１Ｂを握り込むだけで、開いた状態になっているアーム１２Ａ，１２Ｂの掴み片１０Ａ，１０Ｂが、徐々に閉じて糞Ｆを拾い上げるのである。その後、糞収納容器２内に掴み片１０Ａ，１０Ｂを挿入し、蓋体４により糞収納容器２の開口部３を閉じてから、持ち手１１Ａ，１１Ｂから手をはなすと、弾発体１６の拡圧弾性力により一対のアーム１２Ａ，１２Ｂが自然に開き、それに伴って一対の掴み片１０Ａ，１０Ｂも開いた状態となり、糞収納容器２内に糞Ｆを落とし込む。
【００２５】
また、糞Ｆの拾い部５は、下方部分に掴み片１０Ａ，１０Ｂを有し、上方部分に持ち手１１Ａ，１１Ｂを有する一対のアーム１２Ａ，１２Ｂから成り、この一対のアーム１２Ａ，１２Ｂは、枢着部１３Ａ，１３Ｂを介して回動自在に取り付けられているので、アーム１２Ａ，１２Ｂを介して行なう糞Ｆの拾い上げと、糞Ｆの糞収納容器２内への投入が極めて簡単である。
【００２６】
加えて、糞Ｆの拾い部５は、蓋体４に設置した支承枠部１８に挿通した状態で支持されているため、蓋体４により糞収納容器２の開口部３を閉じる動作と、糞Ｆを拾い上げている状態の拾い部５を糞収納容器２の中に入れる動作を一括して行なうことができる。
【００２７】
そして、支承枠部１８を介して蓋体４に糞Ｆの拾い部５を取り付けているため、蓋体４の堅牢性を維持できる。すなわち、糞Ｆの拾い部５を蓋体４に直接取り付けるとすると、例えば、蓋体４を２分割して糞Ｆの拾い部５を両側から支持する等の構成が必要となる、この様に蓋体４を２分割すると、自ずと、蓋体４の堅牢性が維持できない状態となる。これに対して、支承枠部１８を介して蓋体４に糞Ｆの拾い部５を取り付けると、蓋体４を２分割する必要がなく、蓋体４を一体的に成形できる。そのため、蓋体４の堅牢性を充分に維持できるのである。
【００２８】
また、支承枠部１８は、一対のアーム１２Ａ，１２Ｂを挿通した状態で支持する挿通孔２０を備えているため、糞収納容器２の開口部３を蓋体４により閉じたときに、アーム１２Ａ，１２Ｂの掴み片１０Ａ，１０Ｂを糞収納容器２内へ収容できる。
【００２９】
この他、糞Ｆの拾い部５は、一対のアーム１２Ａ，１２Ｂを、所定の角度に開いた状態で係止させるストッパー部２３を備えているため、一対の掴み片１０Ａ，１０Ｂが開いている角度を任意に調節できると共に、掴み片１０Ａ，１０Ｂが必要以上に開いてしまう事態を回避できる。
【００３０】
また、一対のアーム１２Ａ，１２Ｂのそれぞれに設けた環状凹部１４Ａ，１４Ｂの孔部１５Ａ，１５Ｂ（または、軸部）と、蓋体４の支承枠部１８に設けた軸部２１（または、支承枠部に設けた孔部）が係合しているため、一対のアーム１２Ａ，１２Ｂを、回動可能に蓋体４に取り付けることができる。
【００３１】
さらに、一対の掴み片１０Ａ，１０Ｂは、互いに内側に向けて湾曲した櫛歯１３が、斜行状に配置されているため、糞Ｆの拾い部５の上方部分を手に持って地面等に近づけたとき、自然に掴み片１０Ａ，１０Ｂが糞Ｆの全体を包み込むように配置され、糞Ｆを確実に拾い上げることができる。
【００３２】
加えて、一対の掴み片１０Ａ，１０Ｂが櫛歯１３により形成されているため、糞Ｆに付着している砂や小石等を払いよけながら、糞Ｆだけを拾い上げることができる。
【発明を実施するための最良の形態】
【００３３】
以下に、本発明を実施するための最良の形態を、図面を参照して説明する。本発明は、犬や猫等のペットが屋外における路上等に排泄した糞Ｆを除去するために使用される、携帯性に優れたペット用の糞採取用具１である。
【００３４】
このペット用の糞採取用具１は、図１乃至図３に示すように、ペットが排泄した糞Ｆを収容する糞収納容器２と、糞収納容器２の開口部３を閉じる蓋体４とから構成され、蓋体４は、糞Ｆの拾い部５を備えている。この糞Ｆの拾い部５は、図２乃至図４に示すように、蓋体４により糞収納容器２の開口部３を閉じたときに、糞Ｆの拾い部５の下方部分が、糞収納容器２内に配置される。
【００３５】
そして、使用に際しては、図１に示すように、必要に応じて、糞収納容器２内に袋体６を配置しても良い。袋体６を使用するときは、例えば、袋体６の開口縁部を外側に折り返して糞収納容器２の開口部３に引っ掛け、糞収納容器２の開口部３と蓋体４により袋体６の開口縁部を挟み込んで、袋体６が糞収納容器２に固定される。
【００３６】
ペットが排泄した糞Ｆを収容する糞収納容器２は、図１に示すように、有底円筒状に形成され、外壁面にベルトを固定するためのコ字形片７を２個備えている。また、糞収納容器２の下面部には、糞収納容器２を地面等に自立させる薄板半円状の脚部８を、等間隔に３個備えている。
【００３７】
蓋体４も、図５・図１１に示すように、糞収納容器２の開口部３の形状に合わせて、円形状に形成されている。
【００３８】
尚、糞収納容器２と蓋体４の形状は、図に示したものに限定されず、どの様な形状であっても差し支えない。例えば、糞収納容器２を有底角筒状に形成し、蓋体４を、糞収納容器２の開口部３の形状に合わせて方形状に形成しても良い。
【００３９】
蓋体４は、図５・図１１に示すように、ペットが排泄した糞Ｆを拾い上げるための、糞Ｆの拾い部５を備えている。この糞Ｆの拾い部５は、蓋体４の中心部を貫通するようにして蓋体４に取り付けられている。糞Ｆの拾い部５の下方部分は、ペットが排泄した糞Ｆを簡単に拾い上げるために、一対の掴み片１０Ａ，１０Ｂを備えて開閉可能に形成されている。そして、図２乃至図４に示すように、蓋体４により糞収納容器２の開口部３を閉じたときには、糞Ｆの拾い部５の下方部分に位置する一対の掴み片１０Ａ，１０Ｂが、糞収納容器２内に配置されるのである。
【００４０】
また、糞Ｆの拾い部５は、図５・図１０に示すように、下方部分に掴み片１０Ａ，１０Ｂを有し、上方部分に持ち手１１Ａ，１１Ｂを有する一対のアーム１２Ａ，１２Ｂから成る。この一対のアーム１２Ａ，１２Ｂは、図１０に示すように、枢着部１３Ａ，１３Ｂを介して回動自在に取り付けられている。
【００４１】
一対のアーム１２Ａ，１２Ｂの先端部分にそれぞれ設けた一対の掴み片１０Ａ，１０Ｂは、図２・図１２に示すように、次第に幅広となる薄板を介して、互いに内側に向けて湾曲した櫛歯１３が、持ち手１１Ａ，１１Ｂに対して斜行状に配置されている。また、一対のアーム１２Ａ，１２Ｂの上方部分にそれぞれ設けた持ち手１１Ａ，１１Ｂは、棒状で、外側に向けて若干湾曲して形成されている。この様に、棒状の持ち手１１Ａ，１１Ｂを外側に向けて若干湾曲させることで、持ち手１１Ａ，１１Ｂを手で握り易くしている。
【００４２】
一対のアーム１２Ａ，１２Ｂを回動可能に取り付ける枢着部１３Ａ，１３Ｂは、図５・図１０に示すように、アーム１２Ａ，１２Ｂにおける持ち手１１Ａ，１１Ｂ寄りの略中間位置に設けられている。具体的には、図１０に示すように、アーム１２Ａ，１２Ｂにおける持ち手１１Ａ，１１Ｂ寄りの略中間位置に環状凹部１４Ａ，１４Ｂを設け、図２に示すように、この環状凹部１４Ａ，１４Ｂの内側面同士を当接させた状態で、一対のアーム１２Ａ，１２Ｂが回動するのである。
【００４３】
さらに、環状凹部１４Ａ，１４Ｂの中央部には、孔部１５Ａ，１５Ｂが設けられている。そして、糞Ｆの拾い部５は、図６（ａ）に示すように、一対の掴み片１０Ａ，１０Ｂを常に開く方向へ付勢させる弾発体１６を備えている。具体的には、枢着部１３Ａ，１３Ｂの上方において、持ち手１１Ａ，１１Ｂの内側面にそれぞれ穴部１７Ａ，１７Ｂを設け、両穴部１７Ａ，１７Ｂにコイル状のバネ（１６）の端部を挿入して固定している。このバネ（１６）の弾発力により、持ち手１１Ａ，１１Ｂは互いに離れた状態となる。その結果、図５・図６（ａ）に示すように、枢着部１３Ａ，１３Ｂを支点として、一対の掴み片１０Ａ，１０Ｂも開いた状態となる。
【００４４】
この様に構成された糞Ｆの拾い部５は、図１１・図１２に示すように、蓋体４に設置した支承枠部１８に挿通した状態で支持されている。この支承枠部１８は、図１１に示すように、全体が半円球状に形成され、一対のアーム１２Ａ，１２Ｂを挿通した状態で支持する挿通孔２０を備えている。
【００４５】
支承枠部１８は、図１０に示すように、合体して全体が半円球を形成する２つの支承部１９Ａ，１９Ｂにより構成されている。支承部１９Ａ，１９Ｂは、球体を等しく４分の１に切断した球面状に形成されている。そして、２つの支承部１９Ａ，１９Ｂが合体した際に、中央部分に長方形状の挿通孔２０を備えた構成となっている。すなわち、支承部１９Ａ，１９Ｂは、コ字形の切欠部２０Ａ，２０Ｂを備え、支承部１９Ａ，１９Ｂが合体したときに、この切欠部２０Ａ，２０Ｂにより挿通孔２０を形成しているのである。
【００４６】
また、図１０に示すように、一方の支承部１９Ａの切欠部２０Ａに軸部２１を設け、他方の支承部１９Ｂの切欠部２０Ｂに孔部２２を設けている。この一方の支承部１９Ａの軸部２１を他方の支承部１９Ｂの孔部２２に挿入することで、２つの支承部１９Ａ，１９Ｂ同士を合体させるのである。
【００４７】
支承枠部１８における糞Ｆの拾い部５の取り付けは、以下の通りである。
【００４８】
まず、図１０に示すように、枢着部１３Ａ，１３Ｂである環状凹部１４Ａ，１４Ｂの内側面同士を当接させた状態の一対のアーム１２Ａ，１２Ｂにおいて、その孔部１５Ａ，１５Ｂに、一方の支承部１９Ａに設けた軸部２１を挿入し、軸部２１を反対側に貫通させる。そして、貫通している軸部２１の先端部を、他方の支承部１９Ｂの孔部２２に挿入するように支承部１９Ｂを配置し、両支承部１９Ａ，１９Ｂ同士を合体させるのである。このとき、支承部１９Ａに設けた軸部２１の基端部を、なだらかに拡げた裾拡がり状に形成し、この軸部２１の基端部に接する環状凹部１４Ａの孔部１５Ａの周囲を、漏斗状（朝顔の花に似た形）に形成することで、軸部２１に接しながら支持されているアーム１２Ａ，１２Ｂが滑らかに回動する。
【００４９】
また、軸部２１の先端部近傍に、複数の小楔片３０を設けている。この小楔片３０は、先端部分が軸部２１の周面と一体化し、後端部分が軸部２１の周面よりも若干高くなり、先端部分と後端部分の間になだらかな斜面を形成している。そのため、軸部２１の先端部は、滑らかにアーム１２Ａ，１２Ｂの孔部１５Ａ，１５Ｂに進入できるのである。そして、軸部２１の先端部が、他方の支承部１９Ｂの孔部２２に進入し、切欠部２０Ｂを形成する壁面を突き抜けたときは、小楔片３０の基端部が壁面の裏側に引っ掛かった状態となり、孔部２２に進入した軸部２１が抜脱不可能となる。その結果、支承部１９Ａ，１９Ｂ同士の合体している状態が、強固に維持されるのである。
【００５０】
尚、図に示すアーム１２Ａ，１２Ｂは、支承部１９Ａの軸部２１が、アーム１２Ａ，１２Ｂの孔部１５Ａ，１５Ｂに貫挿して支持される構成であるが、この構成に限定されることはない。例えば、内側面同士が当接しているアーム１２Ａ，１２Ｂの環状凹部１４Ａ，１４Ｂの外側面にそれぞれ軸部を設け、この突出した軸部を、支承部１９Ａ，１９Ｂに設けた孔部に挿入することで、アーム１２Ａ，１２Ｂが支承部１９Ａ，１９Ｂに支持される構成であっても良い。
【００５１】
この他、糞Ｆの拾い部５の下方部分として、掴み片１０Ａ，１０Ｂが形成されているが、この構成に限定されることはない。例えば、糞Ｆの拾い部５の下方部分として、スコップ状の板を形成しても良い。また、糞Ｆの拾い部５を、一本の棒状の持ち手と掴み片１０Ａ，１０Ｂにより形成し、持ち手が備えている所定のスイッチを操作して、掴み片１０Ａ，１０Ｂが開閉する構成であっても良い。
【００５２】
さらに、糞Ｆの拾い部５は、一対のアーム１２Ａ，１２Ｂを、所定の角度に開いた状態で係止させるストッパー部２３を備えている。
【００５３】
このストッパー部２３の具体的な構成は、例えば、図１０に示すように、一対のアーム１２Ａ，１２Ｂの環状凹部１４Ａ，１４Ｂに、さらに円弧状の開口部２４Ａ，２４Ｂを設ける。また、一方のアーム１２Ａの開口部２４Ａに、略等間隔に４個の突片３１を配置する。この突片３１は、環状凹部１４Ａから突出しない高さに形成されている（これは、ストッパー部２３の存在しない形態である）。さらに、他方のアーム１２Ｂにも、開口部２４Ｂに突片３２を４個配置する。この突片３２は、いずれも環状凹部１４Ｂから突出しない高さに形成されている。
【００５４】
ストッパー部２３を付加するときは、図６（ａ）に示すように、アーム１２Ａの向い合う一対の突片３１Ａを、環状凹部１４Ａから突出する高さを備えるように形成する。そして、一方のアーム１２Ａの環状凹部１４Ａを他方のアーム１２Ｂの環状凹部１４Ｂに当接させ、アーム１２Ａの突片３１Ａをアーム１２Ｂの開口部２４Ｂに進入させ、アーム１２Ａの突片３１Ａを所定の位置でアーム１２Ｂの突片３２に突き当てることで、例えば、図８（ａ）に示すように、一対の掴み片１０Ａ，１０Ｂが、約９０度の角度以上に開かないようにする。尚、この開き角度は、突片３１Ａ，３２の設置位置を変えることで、調節可能である。
【００５５】
また、一対の掴み片１０Ａ，１０Ｂを閉じるときも、図８（ｂ）に示すように、アーム１２Ａの突片３１Ａを、所定の位置でアーム１２Ｂの突片３２に突き当てるものである。
【００５６】
蓋体４の上面部への支承枠部１８の取り付けは、以下の通りである。
【００５７】
まず、図８に示すように、蓋体４の上面部に、円形の凹部２６を設ける。この凹部２６は、中央に糞Ｆの拾い部５を貫通させる孔２７を備えている。そして、蓋体４の凹部２６に、支承枠部１８の下端部分を嵌め入れるのである。このとき、図１０に示すように、支承枠部１８の下端部分における外周面に、小楔片３３Ａ，３３Ｂを下向きに設ける一方、図８に示すように、蓋体４の凹部２６の内壁に小孔３４を設け、支承枠部１８の小楔片３３Ａ，３３Ｂと蓋体４の小孔３４を係合させることで、蓋体４への支承枠部１８の取り付け状態・支承部１９Ａ，１９Ｂの合体状態が強固に維持される。
【００５８】
具体的には、図１０に示すように、支承部１９Ａ，１９Ｂの切断部の近傍に隣り合うように小楔片３３Ａ，３３Ｂを設ける。そして、凹部２６の小孔３４は、この隣り合う支承部１９Ａ，１９Ｂの小楔片３３Ａ，３３Ｂを係合させる高さと幅を備えているのである。
【００５９】
糞収納容器２の開口部３への蓋体４の取り付けは、以下の通りである。
【００６０】
まず、図１に示すように、糞収納容器２の開口部３における外周面に横Ｌ字状に折曲・突出したリブ２８を設ける。このリブ２８は、糞収納容器２の開口部３に、例えば、２個設ける。また、リブ２８における横部分２８Ａは、縦部分２８Ｂに近づくに従いその高さを次第に低くするように斜めに配置されている。さらに、２個のリブ２８の間に、斜めに配置された横部分のみから成るリブ２９を２個設けている。
【００６１】
一方、糞収納容器２のリブ２８，２９に対向すべく、図７・図９（ａ）（ｂ）に示すように、蓋体４の開口縁部における内周面に、横部分のみから成るリブ３５を設けている。このリブ３５は、図８に示すように、リブ２８の縦部分２８Ｂに沿うように、斜めに配置されている。この様にして、蓋体４に、４個のリブ３５を設けている。そして、図７・図９（ａ）（ｂ）に示すように、糞収納容器２のリブ２８と蓋体４のリブ３５が隣接するように糞収納容器２の開口部３に蓋体４を配置し、蓋体４を一方向に回転させることにより、蓋体４のリブ２９を糞収納容器２の横Ｌ字状のリブ２８に潜り込ませて係合させる。この様にして、糞収納容器２の開口部３に蓋体４がしっかりと固定されるのである。
【００６２】
尚、糞収納容器２の開口部３への蓋体４の取り付け手段は、図に示すものに限定されず、例えば、ネジ止めをする等、どの様な手段を用いても差し支えない。
【００６３】
次に、以上のように構成されたペット用の糞採取用具１について、使用、動作の一例を説明する。
【００６４】
ペットが路上等に糞Ｆを排泄したときは、まず、図１１・図１２に示すように、糞収納容器２から蓋体４を取り外す。そして、アーム１２Ａ，１２Ｂの持ち手１１Ａ，１１Ｂを手でつかみ、弾発体１６の拡圧弾性力に抗するようにして持ち手１１Ａ，１１Ｂを握り込む。すると、開いた状態になっているアーム１２Ａ，１２Ｂの掴み片１０Ａ，１０Ｂが、徐々に閉じた状態となり、糞Ｆを拾い上げるのである。このとき、ペットが排泄した糞Ｆにティッシュペーパー等をかぶせ、このティッシュペーパーを介して糞Ｆを拾い上げると、掴み片１０Ａ，１０Ｂが汚れることがない。
【００６５】
その後、図２乃至図４に示すように、糞収納容器２内に掴み片１０Ａ，１０Ｂを挿入し、蓋体４により糞収納容器２の開口部３を閉じる。そして、持ち手１１Ａ，１１Ｂから手をはなすと、弾発体１６の拡圧弾性力により一対のアーム１２Ａ，１２Ｂが自然に開き、それに伴って一対の掴み片１０Ａ，１０Ｂも開いた状態となり、糞収納容器２内に糞Ｆを落とし込む。
【００６６】
このとき、図２・図４に示すように、一対の掴み片１０Ａ，１０Ｂと、糞収納容器２の内側面（内周壁面・内底面）との間に、所定の空間を備えているため、所定量の糞Ｆを糞収納容器２内に充分に収容できる。また、掴み片１０Ａ，１０Ｂの最下端部と、糞収納容器２の内底面との間に、２ｃｍ乃至１０ｃｍの距離を備えた空間を造ることで、小型犬や中型犬等が散歩中に２回から３回の糞Ｆを排泄したときであっても、この糞Ｆを糞収納容器２内に充分に収容できる。また、糞収納容器２に収容している糞Ｆに拾い部５が接して、拾い部５が汚れることもない。
【産業上の利用可能性】
【００６７】
本発明に係るペット用の糞採取用具１は、例えば、携帯性に優れた、ダストボックス等として利用することもできる。
【図面の簡単な説明】
【００６８】
【図１】袋体を介して、糞収納容器の開口部に蓋体を取り付ける状態を示す分解側面図である。
【図２】糞収納容器の開口部に、糞の拾い部を備えた蓋体を取り付けた状態を示す側断面図である。
【図３】糞収納容器の開口部に、糞の拾い部（閉じている状態）を備えた蓋体を取り付けた状態を示す側断面図である。
【図４】糞収納容器の開口部に、糞の拾い部（若干開いている状態）を備えた蓋体を取り付けた状態を示す側断面図である。
【図５】糞の拾い部（開いている状態）を備えた蓋体の構成を示す側断面図である。
【図６】一対のアームの回動状態を示しており、（ａ）は一対のアームが開いた状態の側断面図、（ｂ）は一対のアームが閉じている状態の側断面図である。
【図７】糞収納容器のリブと蓋体のリブが係合している状態を示した一部拡大の側断面図である。
【図８】糞収納容器のリブと蓋体のリブが係合している状態で、糞収納容器の開口部に蓋体を取り付けた状態を示す側断面図である。
【図９】糞収納容器のリブと蓋体のリブが係合している状態を示しており、（ａ）は蓋体の回転によるリブ同士の係合の初期段階を示す平面図、（ｂ）は蓋体の回転が停止し、リブ同士が完全に係合した状態の平面図である。
【図１０】一対のアームと支承枠部の取り付け状態を示した分解斜視図である。
【図１１】糞採取用具の使用状態を示す分解斜視図である。
【図１２】糞の拾い部を用いて糞を拾い上げる状態を示す側面図である。
【符号の説明】
【００６９】
Ｆ…糞
１…ペット用の糞採取用具
２…糞収納容器
３…開口部
４…蓋体
５…糞の拾い部
６…袋体
７…コ字形片
８…脚部
１０Ａ，１０Ｂ…掴み片
１１Ａ，１１Ｂ…持ち手
１２Ａ，１２Ｂ…アーム
１３…櫛歯
１３Ａ，１３Ｂ…枢着部
１４Ａ，１４Ｂ…環状凹部
１５Ａ，１５Ｂ…孔部
１６…弾発体
１７Ａ，１７Ｂ…穴部
１８…支承枠部
１９Ａ，１９Ｂ…支承部
２０…挿通孔
２０Ａ，２０Ｂ…切欠部
２１…軸部
２２…孔部
２３…ストッパー部
２４Ａ，２４Ｂ…開口部
２６…凹部
２７…孔
２８…リブ
２８Ａ…横部分
２８Ｂ…縦部分
２９…リブ
３０…小楔片
３１…突片
３１Ａ…突片
３２…突片
３３Ａ，３３Ｂ…小楔片
３４…小孔
３５…リブ
【図１】
2005253350.tif 000003
【図２】
2005253350.tif 000004
【図３】
2005253350.tif 000005
【図４】
2005253350.tif 000006
【図５】
2005253350.tif 000007
【図６】
2005253350.tif 000008
【図７】
2005253350.tif 000009
【図８】
2005253350.tif 000010
【図９】
2005253350.tif 000011
【図１０】
2005253350.tif 000012
【図１１】
2005253350.tif 000013
【図１２】
2005253350.tif 000014